(57)【要約】      （修正有）【課題】剪断力の高いデッキプレート用インサートを提供する。【解決手段】吊りボルトを吊下げ可能なデッキプレート用インサートであって、デッキプレート貫通孔に上方から挿通取付され、下側に外周方向に張出し可能な張出し片部２１が設けられた外筒部２と、下方に開口する雌螺子部３１が形成されると共に頭部の外周に張出す鍔部３２が設けられ、外筒部の中空部に上方開口から圧入装着されるインサート本体３と、張出し片部の上方において外筒部の外周に挿通され、デッキプレート上面に当接するワッシャー部材４と、ワッシャー部材と鍔部との間において外筒部の外周に挿通されてワッシャー部材をデッキプレート上面に押し付けるスプリング部材５と、を有し、インサート本体は、その下端位置がデッキプレート上面より上方に配設されるように外筒部に圧入装着される構成であり、外筒部は、張出し片部を含めて一体成形された合成樹脂製からなる。【選択図】図１
0003190516.tif 000002
【実用新案登録請求の範囲】
【請求項１】
デッキプレートに穿かれる貫通孔に上方から挿通取付され、前記デッキプレート下側にて外周方向に張出し可能な張出し片部が設けられた外筒部と、
下方に開口する雌螺子部が形成されると共に頭部の外周に張出す鍔部が設けられ、前記外筒部の中空部に上方開口から圧入装着されるインサート本体と、
前記張出し片部の上方において前記外筒部の外周に挿通され、前記デッキプレート挿通取付時に該デッキプレート上面に当接するワッシャー部材と、
該ワッシャー部材と前記鍔部との間において前記外筒部の外周に挿通されて前記ワッシャー部材を前記デッキプレート上面に押し付けるスプリング部材と、
を有し、前記雌螺子部に吊りボルトを螺合することにより吊下げ可能なデッキプレート用インサートであって、
前記インサート本体は、その下端位置がデッキプレート上面より上方に配設されるように前記外筒部に圧入装着される構成であり、
前記外筒部は、前記張出し片部を含めて一体成形された合成樹脂製であること、
を特徴とするデッキプレート用インサート。
【請求項２】
前記インサート本体が金属製であることを特徴とする請求項１に記載のデッキプレート用インサート。
【請求項３】
前記張出し片部より上方の外筒部の長さを変更することにより、前記デッキプレート上面における打設コンクリート内の埋設長さを設定することが可能な構成であることを特徴とする請求項１又は２に記載のデッキプレート用インサート。
【請求項４】
前記外筒部に圧入装着される部分の前記インサート本体の外周面に凸部及び／凹部が設けられていることを特徴とする請求項１〜３のいずれかに記載のデッキプレート用インサート。
【考案の詳細な説明】
【技術分野】
【０００１】
本考案はデッキプレート用インサートに関し、詳しくはデッキプレート等の天井プレート材に吊り天井・空調機器・配管類等の吊り構造物を吊り下げるための吊りボルトを吊下げ固定するためのインサートに関する。
【背景技術】
【０００２】
波形プレート構造のデッキプレートへのインサートの取付けは、デッキプレートに貫通孔を穿ち、該貫通孔に上方からインサートを打ち込み挿通することで取付固定している。
【０００３】
従来のインサートは、例えば特許文献１に記載のように、デッキプレートの貫通孔に上方から挿通したインサート本体はその下部がデッキプレートの下方にまで突出した状態となっており、このデッキプレートより下方に位置するインサート本体の下部に形成された雌螺子部に吊りボルトが挿通される構成となっている。
【先行技術文献】
【特許文献】
【０００４】
【特許文献１】実公平０１−０１９６９４号（第１図）
【考案の概要】
【考案が解決しようとする課題】
【０００５】
しかし特許文献１の技術では、吊りボルトが螺合固定する部分は、デッキプレートより上方の打設コンクリート内に埋設されるのではなく、打設コンクリートの無いデッキプレートより下方に突出状態で位置することになる。
【０００６】
従って、この吊りボルトが螺合固定する部分の強度はインサート本体の雌螺子部の強度のみに依存することになるので、打設コンクリート内にインサート本体の略全部が埋設される一般的なインサートに比して剪断力の点で低くならざるをえないという問題点を有している。
【０００７】
そこで本考案の課題は、剪断力の高いデッキプレート用インサートを提供することにある。
【課題を解決するための手段】
【０００８】
上記課題を解決する本考案は下記構成を有する。
【０００９】
１．デッキプレートに穿かれる貫通孔に上方から挿通取付され、前記デッキプレート下側にて外周方向に張出し可能な張出し片部が設けられた外筒部と、
下方に開口する雌螺子部が形成されると共に頭部の外周に張出す鍔部が設けられ、前記外筒部の中空部に上方開口から圧入装着されるインサート本体と、
前記張出し片部の上方において前記外筒部の外周に挿通され、前記デッキプレート挿通取付時に該デッキプレート上面に当接するワッシャー部材と、
該ワッシャー部材と前記鍔部との間において前記外筒部の外周に挿通されて前記ワッシャー部材を前記デッキプレート上面に押し付けるスプリング部材と、
を有し、前記雌螺子部に吊りボルトを螺合することにより吊下げ可能なデッキプレート用インサートであって、
前記インサート本体は、その下端位置がデッキプレート上面より上方に配設されるように前記外筒部に圧入装着される構成であり、
前記外筒部は、前記張出し片部を含めて一体成形された合成樹脂製であること、
を特徴とするデッキプレート用インサート。
【００１０】
２．前記インサート本体が金属製であることを特徴とする前記１に記載のデッキプレート用インサート。
【００１１】
３．前記張出し片部より上方の外筒部の長さを変更することにより、前記デッキプレート上面における打設コンクリート内の埋設長さを設定することが可能な構成であることを特徴とする上記１又は２に記載のデッキプレート用インサート。
【００１２】
４．前記外筒部に圧入装着される部分の前記インサート本体の外周面に凸部及び／又は凹部が設けられていることを特徴とする上記１〜３のいずれかに記載のデッキプレート用インサート。
【考案の効果】
【００１３】
請求項１に示す考案によれば、剪断力の高いデッキプレート用インサートを提供することができる。
【００１４】
特に、インサート本体の下端位置がデッキプレート上面より上方に配設される構成によって、最も強度が要求される部分であるインサート本体の吊りボルトが螺合された部分がデッキプレートより上方位置の打設コンクリート内に埋設された状態となるので、インサート本体の雌螺子部が形成された部分の強度に加えて、この雌螺子部が形成された部分の外周を埋める打設コンクリートの強度も加わるため剪断力を高くすることができる。
【００１５】
請求項２に示す考案によれば、上記したように剪断力が高くなった上に、更に、金属製のインサート本体の長さをデッキプレートより下方に延びる従来のものに比して短くできるので、著しい軽量化が可能であると共にコストダウンを図ることができる。軽量化の面では、例えば、一般的なサイズの場合で概ね３分の２以下の重量とすることが可能となるため、一つの建造物に対して多量に用いられることが常であるインサート製品の場合、製造工場における移動・梱包・倉庫保管・出荷等の全作業時から、現場への輸送・搬入・取付等の全作業時までの全ての作業時において軽量化の恩恵を受けることができる。
【００１６】
請求項３に示す考案によれば、インサート全体の長さを変更する場合、従来は雌螺子部が形成されたインサート本体の長さを変えることで対応していたが、雌螺子部のない部分である合成樹脂製から成る外筒部を変えることによりインサート全体の長さを変えることができるので設計変更が極めて容易でありコストダウンを図ることができる。
【００１７】
請求項４に示す考案によれば、インサート本体と外筒部との接続を極めて容易に強固にすることができる。
【図面の簡単な説明】
【００１８】
【図１】本考案に係るデッキプレート用インサートの一実施例を示す分解正面図及び正面図
【図２】図１に示すデッキプレート用インサートの７面図（平面図、左側面図、正面図、右側面図、背面図、底面図及びＡ−Ａ線断面図）
【図３】図１に示すデッキプレート用インサートの取付例の一例を示す説明断面図
【考案を実施するための形態】
【００１９】
次に、添付の図面に従って本考案を説明する。
【００２０】
本考案に係るデッキプレート用インサート（本明細書においては、単にインサートと言うこともある。）１は、図１〜図３に示すように、
デッキプレート６に穿かれる貫通孔６１に上方から挿通取付され、前記デッキプレート６下側にて外周方向に張出し可能な張出し片部２１が設けられた外筒部２と、
下方に開口する雌螺子部３１が形成されると共に頭部の外周に張出す鍔部３２が設けられ、前記外筒部２の中空部２２に上方開口から圧入装着されるインサート本体３と、
前記張出し片部２１の上方において前記外筒部２の外周に挿通され、前記デッキプレート６挿通取付時に該デッキプレート６上面に当接するワッシャー部材４と、
該ワッシャー部材４と前記鍔部３２との間において前記外筒部２の外周に挿通されて前記ワッシャー部材４を前記デッキプレート６上面に押し付けるスプリング部材５と、
を有し、前記雌螺子部３１に吊りボルト７を螺合することにより吊下げ可能な構成であって、
前記インサート本体３は、その下端位置がデッキプレート６上面より上方に配設されるように前記外筒部２に圧入装着される構成であり、
前記外筒部２は、前記張出し片部２１を含めて一体成形された合成樹脂製であること、
を主構成とするものである。
【００２１】
以下、本考案のインサート１について更に詳説する。
【００２２】
インサート１の一構成部材である外筒部２としては、この種のデッキプレート用インサートの外筒部として公知公用の合成樹脂製（例えば、ポリプロピレン、ポリカーボネート等が挙げられ、好ましくはポリカーボネートである。）であり、張出し片部２１を含めて全体が射出成形等の公知公用の樹脂成形法によって一体成形により形成される。本考案において、
【００２３】
本考案のインサート１は、この外筒部２の部分においてデッキプレート６に取り付けられる構成であり、デッキプレート６の貫通孔６１に上方から外筒部２を挿通取付することにより、該デッキプレート６の上面に対してはスプリング部材５により押し付けられるワッシャー部材４により下方への脱落を防止し、インサート本体３の打ち込みによる張出し片部２１の外周方向への張出しによりデッキプレート６の上方への抜けを防止することでインサート１をデッキプレート６に固定する構成になっている。
【００２４】
同じくインサート１の一構成部材であるインサート本体３としては、この種のデッキプレート用インサートのインサート本体として公知公用の金属製である。尚、適用される施工場所の条件によっては剪断力の高い硬質プラスチック製とすることもできる。
【００２５】
インサート本体３は、外筒部２の中空部２２に圧入によって挿入固定された状態で、前記したように外筒部２のデッキプレート６の貫通孔６１への挿通取付により、該外筒部２を介在させた状態でデッキプレート６に取付固定されるものである。
【００２６】
本考案のインサート１を上記したようにデッキプレート６へ固定した後、打設コンクリート８の打設前或いは打設後に下方に開口する雌螺子部３１に吊りボルト７を螺合し、螺合した吊りボルト７に吊り天井・空調機器・配管類等の吊り構造物を固定することによってこれらの吊り構造物をデッキプレート６から安定した状態で吊下げることが可能となるものである。
【００２７】
また、インサート本体３は、その外周面であって、少なくとも前記外筒部２の中空部２２の内周面に接する位置に凸部及び／又は凹部３３を設けることにより外筒部２とインサート本体３との接続を極めて容易に強固にすることができる。設けられる凸部及び／又は凹部３３としては、ローレット加工による逆螺子部が好ましい。
【００２８】
以上の構成を有する本考案のデッキプレート用インサート１によれば、インサート本体３の下端位置がデッキプレート６上面より上方に配設される構成によって、最も強度が要求される部分であるインサート本体３の吊りボルト７が螺合された部分がデッキプレート６より上方位置の打設コンクリート８内に埋設された状態となるので、インサート本体３の雌螺子部３１が形成された部分の強度に加えて、この雌螺子部３１が形成された部分の外周を埋める打設コンクリート８の強度も加わるため剪断力を高くすることができる。
【００２９】
更に金属製のインサート本体３を用いる構成によれば、上記したように剪断力が高くなった上に、更に、金属製のインサート本体３の長さをデッキプレート６より下方に延びる従来のものに比して短くできるので、著しい軽量化が可能であると共にコストダウンを図ることができる。軽量化の面では、例えば、一般的なサイズの場合で概ね３分の２以下の重量とすることが可能となるため、一つの建造物に対して多量に用いられることが常であるインサート製品の場合、製造工場における移動・梱包・倉庫保管・出荷等の全作業時から、現場への輸送・搬入・取付等の全作業時までの全ての作業時において軽量化の恩恵を受けることができる。
【００３０】
以上、本考案に係るデッキプレート用インサートについて実施例に基づき説明したが、本考案は上記実施例に限定されず、本考案の範囲内において種々の態様を採ることができる。
【００３１】
例えば、張出し片部２１より上方の外筒部２の長さを変更することにより、前記デッキプレート６上面における打設コンクリート８内の埋設長さを設定することが可能である。かかる構成によれば、インサート１全体の長さを変更する場合、従来は雌螺子部３１が形成されたインサート本体３の長さを変えることで対応していたが、雌螺子部３１のない部分である合成樹脂製から成る外筒部２を変えることによりインサート１全体の長さを変えることができるので設計変更が極めて容易でありコストダウンを図ることができる。
【符号の説明】
【００３２】
１  デッキプレート用インサート
２  外筒部
２１  張出し片部
２２  中空部
３  インサート本体
３１  雌螺子部
３２  鍔部
３３  凸部及び／又は凹部
４  ワッシャー部材
５  スプリング部材
６  デッキプレート
７  吊りボルト
８  打設コンクリート
【図１】
0003190516.tif 000003
【図２】
0003190516.tif 000004
【図３】
0003190516.tif 000005